(57)【特許請求の範囲】
【請求項１】
マイクロホンからの音声信号と電話機の受話回路からの音声信号とを切り替えて出力する切り替えスイッチと、電話機の着信制御回路からの信号により前記切り替えスイッチを制御する制御手段とを備え、前記着信制御回路の出力信号が電話機が通話中であることを示すときは前記切り替えスイッチから受話回路からの音声信号を出力させてその音声信号をメモリに記憶している辞書のパターンと比較することにより得られた文字に変換してメモリに記憶し、前記着信制御回路の出力信号が電話機が通話中でないことを示すときは前記切り替えスイッチからマイクロホンからの音声信号を出力させその音声信号をメモリに記憶している制御コマンドと比較することにより得られた制御コマンドを実行するように構成した音声認識装置。
【請求項２】
前記音声信号を認識して変換された文字を表示装置に表示させる請求項１の音声認識装置。
【発明の詳細な説明】
【０００１】
【発明の属する技術分野】
この発明は音声認識による制御装置に係わり、特に、車載用電話機のハンズフリー通話用マイクロホンを利用した音声認識装置に関する。
【０００２】
【従来の技術】
自動車内で運転手が運転中に携帯電話で通話するときは、ハンズフリーでの通話が義務づけられている。そのため図３に示すように定位置に固定されたマイクロホン１で運転手の声を受けてアンプ２で増幅して携帯電話機７の送話回路８に入力される。
【０００３】
そして、音声認識装置により機器を制御する場合は、アンプ２からの音声信号はＡ／Ｄコンバータ３でデジタル信号に変換される。そのデジタル信号はマイクロコンピュータ４に入力されてメモリ５に記憶されている音声のパターンと比較されて入力された音声が認識される。このように認識された音声によるコマンドにより図示していない装置を制御する。
【０００４】
図４のフローチャートにより上記音声認識装置にコマンドが入力されたときの動作を説明する。音声認識ソフトが起動されると、先ず、ステップＳ１において、音声が入力されたか否かを判断し、音声が入力されるとステップＳ２に移行する。ステップＳ２ではメモリ５に記憶されている音声のパターンと入力された音声のパターンとの比較により音声認識処理を行いステップＳ３に移行する。
【０００５】
ステップＳ３ではさらに音声入力があったか否かが判断され、音声入力があった場合はステップＳ２に移行し、音声入力がない場合はステップＳ４に移行する。ステップＳ４では認識された音声が機器を制御するコマンドであれは、そのコマンドにより他の装置を制御して音声認識動作を終了する。
【０００６】
【発明が解決しようとする課題】
上記した従来の音声認識装置は通話相手からの音声の内容を記録することはない。そして、運転中はメモをとることができないため、運転中に通話の内容を記録する手段がなかった。
【０００７】
この発明は上記した点に鑑みてなされたものであって、その目的とするところは、音声認識により機器を制御する手段を利用して、電話通話の内容を記憶することが可能な音声装置を提供することにある。
【０００８】
この発明の音声認識装置は、マイクロホンからの音声信号と電話機の受話回路からの音声信号とを切り替えて出力する切り替えスイッチと、電話機の着信制御回路からの信号により前記切り替えスイッチを制御する制御手段とを備え、前記着信制御回路の出力信号が電話機が通話中であることを示すときは前記切り替えスイッチから受話回路からの音声信号を出力させてその音声信号をメモリに記憶している辞書のパターンと比較することにより得られた文字に変換してメモリに記憶し、前記着信制御回路の出力信号が電話機が通話中でないことを示すときは前記切り替えスイッチからマイクロホンからの音声信号を出力させその音声信号をメモリに記憶している制御コマンドと比較することにより得られた制御コマンドを実行するように構成したものである。
【０００９】
また、前記音声認識装置において、前記音声信号を認識して変換された文字を表示装置に表示させるものである。
【００１０】
【発明の実施の形態】
この発明の実施例である音声認識装置を図面に基づいて説明する。図１はこの発明の実施例である音声認識装置を示すブロック図である。図に示すマイクロホン１に入力された音声は電気信号に変換されてアンプ２で増幅されて携帯電話機７の送話回路８と切り換えスイッチ６の一方の入力端子に入力される。
【００１１】
切り換えスイッチ６の他方の入力端子には携帯電話機７の受話回路９の出力音声信号が入力される。携帯電話機７の着信制御回路１０の着信中か否かを示す信号はマイクロコンピュータ４に入力される。マイクロコンピュータ４は携帯電話機７が着信中であれば受話回路９の出力音声信号をＡ／Ｄコンバータ３に入力させ、携帯電話機７が着信中でなければアンプ２の出力音声信号をＡ／Ｄコンバータ３に入力させるように切り換えスイッチ６を切り換える。
【００１２】
Ａ／Ｄコンバータ３は入力されたアナログ音声信号をデジタル信号に変換する。そのデジタル信号はマイクロコンピュータ４に入力されてメモリ５に記憶されている音声のパターンと比較されて入力された音声が認識される。携帯電話で通話していないときは音声認識したコマンドにより図示していない装置を制御する。携帯電話の通話中は受話回路９からの音声が認識され、その文字がメモリに記憶される。
【００１３】
図２により上記音声認識装置の動作を説明する。先ず、装置が起動されるとステップＳ１で携帯電話が通話中か否かが判断され、通話中でなければステップＳ２に移行し、通話中であればステップＳ７に移行する。
【００１４】
ステップＳ２では切り換えスイッチ６をマイクロホン１側にセットしてステップＳ３に移行する。ステップＳ３では音声入力があったか否かが判断され、音声入力があった場合はステップＳ４に移行し、音声入力がない場合はステップＳ１に移行する。
【００１５】
ステップＳ４では入力された音声のパターンとメモリ５に記憶されている制御コマンドのパターンとが比較されて音声認識処理が実行され、ステップＳ５に移行する。ステップＳ５ではさらに音声入力があったか否かが判断され、音声入力があった場合はステップＳ４に移行し、音声入力がない場合はステップＳ６に移行する。ステップＳ６ではステップＳ４で認識されたコマンドにより装置を制御してステップＳ１に移行する。
【００１６】
ステップＳ７では切り換えスイッチ６を携帯電話機７側にセットしてステップＳ８に移行する。ステップＳ８では音声入力があったか否かが判断され、音声入力があった場合はステップＳ９に移行し、音声入力がない場合はステップＳ１に移行する。
【００１７】
ステップＳ９では入力された音声のパターンとメモリ５記憶されている辞書のパターンとが比較されて音声認識処理が実行されて、ステップＳ１０に移行する。ステップＳ１０では認識して得られた文字をメモリ５に記憶してステップＳ１１に移行する。ステップＳ１１ではさらに音声入力があったか否かが判断され、音声入力があった場合はステップＳ９に移行し、音声入力がない場合はステップＳ１に移行する。
【００１８】
上記のように記憶された受話音声の内容は図示していないキーの操作により図示していない表示装置に表示することができる。このように通話中の相手側からの音声が記憶されているので、メモを取る必要がない。
【００１９】
【発明の効果】
この発明の音声認識によれば、機器の制御用のための音声認識装置が電話機の受話音声を認識して文字として記憶するので運転中等にメモをとる必要がなく、安全が確保される。
【図面の簡単な説明】
【図１】この発明の実施例である音声認識装置を示すブロック図である。
【図２】同音声認識装置の動作を示すフローチャートである。
【図３】従来の音声認識装置の例を示すブロック図である。
【図４】同音声認識装置の動作を示すフローチャートである。
【符号の説明】
１  マイクロホン
２  アンプ
３  Ａ／Ｄコンバータ
４  マイクロコンピュータ
５  メモリ
６  切り替えスイッチ
７  携帯電話機
８  送話回路
９  受話回路
１０  着信制御回路
【図１】
0004441137.tif 000002
【図２】
0004441137.tif 000003
【図３】
0004441137.tif 000004
【図４】
0004441137.tif 000005